(57)【要約】【課題】各機能の設定項目の設定確認が容易にし設定作業の容易化を図る。【解決手段】用紙の設定グループを示す分類確認用画面２１とその設定画面２５が並べて表示されている状態で用紙のサイズ、用紙カセット等の各項目を設定し、次にレイアウトの設定グループを示す分類確認用画面２２及び設定画面２６が並べて表示されている状態で拡大縮小、Ｎ　ｉｎ　１の各項目を設定する。次にページに関する設定グループを示す分類確認用画面２３及び設定画面２７が並べて表示されている状態で両面印刷、ソートモード、奇数偶数印刷の各項目を設定し、次に製本に関する設定グループを示す分類確認用画面２４及び設定画面２８が並べて表示されている状態でステープル、ホールパンチ等の各項目を設定する。そして、それぞれの設定がデフォルト状態から変更されていれば、それぞれの設定画面がグレイアウト表示され、内容を確認することができる。【選択図】　　図６
2004062807.tif 000002
【特許請求の範囲】
【請求項１】
印刷や製本に関するものなどの各種機能の設定項目を複数グループに分類し、この分類された各グループをディスプレイにそれぞれ分類確認用画面として表示する手段と、前記分類確認用画面の１つを選択クリックすると、選択されたグループにおける設定項目の設定画面をその分類確認用画面に並べて表示する手段と、前記設定画面において設定がデフォルト状態から変更されたときは、その設定画面の表示状態を他の分類確認用画面のグループにおける設定項目の設定画面が表示された後も保持する手段と、前記各グループの設定画面で設定された設定項目を印刷情報として設定する手段とを備えたことを特徴とする印刷情報設定装置。
【請求項２】
コンピュータを、印刷や製本に関するものなどの各種機能の設定項目を複数グループに分類し、この分類された各グループをディスプレイにそれぞれ分類確認用画面として表示する手段と、前記分類確認用画面の１つを選択クリックすると、選択されたグループにおける設定項目の設定画面をその分類確認用画面に並べて表示する手段と、前記設定画面において設定がデフォルト状態から変更されたときは、その設定画面の表示状態を他の分類確認用画面のグループにおける設定項目の設定画面が表示された後も保持する手段と、前記各グループの設定画面で設定された設定項目を印刷情報として設定する手段として機能させるためのプログラム。
【発明の詳細な説明】
【０００１】
【発明の属する技術分野】
本発明は、各種機能の設定項目を複数グループに分類し、この分類された各グループをディスプレイに表示する印刷情報設定装置及びプログラムに関する。
【０００２】
【従来の技術】
印刷や製本に関するものなどの各種機能を印刷情報として設定する印刷情報設定装置をプリンタドライバに組み込んだものが知られている。従来のプリンタドライバは、ディスプレイに各種機能の設定項目を表示する場合、１つの機能を指定するタブをクリックすると、その機能の各設定項目は表示されるが、その他の機能についてはタブ内に隠れるようになっている。
【０００３】
【発明が解決しようとする課題】
しかし、このように他の機能がタブ内に隠れていると、他の機能にどのような設定を行ったかを確認したい場合には、その都度該当する機能のタブをクリックして表示させなければ確認することができず、設定作業が面倒であった。
【０００４】
そこで、本発明は、各機能の設定項目の設定確認が容易にできて設定作業が容易に行える印刷情報設定装置及びプログラムを提供する。
【０００５】
【課題を解決するための手段】
本発明は、印刷や製本に関するものなどの各種機能の設定項目を、例えば、用紙の設定、レイアウト設定、ページに関する設定、製本に関する設定などの複数グループに分類し、この分類された各グループをディスプレイにそれぞれ分類確認用画面として表示し、この分類確認用画面の１つを選択クリックすると、選択された分類確認用画面のグループにおける設定項目の設定画面をその分類確認用画面に並べて表示し、設定画面において設定がデフォルト状態から変更されたときは、その設定画面の表示状態を他の分類確認用画面のグループにおける設定項目の設定画面が表示された後も保持し、各グループの設定画面で設定された設定項目を印刷情報として設定するものである。
【０００６】
【発明の実施の形態】
以下、本発明の実施の形態を、図面を参照して説明する。
図１は印刷情報設定装置の構成を示すブロック図で、１１はホストコンピュータ、１２はこのホストコンピュータ１１によって表示制御されるディスプレイ、１３は前記コンピュータ１１に外部から情報を入力するキーボードやマウス等の入力装置、１４は前記ホストコンピュータ１１によって駆動制御されるプリンタ、１５はＣＤ−ＲＯＭを駆動し、プログラムデータ等を読取って前記ホストコンピュータ１１に供給するＣＤ−ＲＯＭドライブである。
【０００７】
前記ホストコンピュータ１１は、プログラムとしてオペレーションシステム（ＯＳ）１６やアプリケーションソフト１７を設け、ＯＳ１６に前記プリンタ１４を駆動制御するプリンタドライバ１８を設けている。
【０００８】
前記ホストコンピュータ１１は、プリンタドライバ１８を開くと最初は図３に示すプリントタブの画面を前記ディスプレイ１２に表示するようになっている。この表示は用紙の設定のウインドウが開いた状態の表示になっている。ここでは、印刷や製本に関するものなどの各種機能を、用紙の設定、レイアウトの設定、ページに関する設定、製本に関する設定の各グループに分類している。
【０００９】
そして、画面の上側には、用紙の設定グループを示すアイコン部とテキストのタグ部からなる分類確認用画面２１、レイアウトの設定グループを示すアイコン部とテキストのタグ部からなる分類確認用画面２２、ページに関する設定グループを示すアイコン部とテキストのタグ部からなる分類確認用画面２３及び製本に関する設定グループを示すアイコン部とテキストのタグ部からなる分類確認用画面２４がそれぞれ表示されるようになっており、用紙の設定のウインドウが開いた状態では、前記分類確認用画面２１が表示され、他の分類確認用画面２２、２３、２４は読み取れるが消えた状態になっている。そして、前記分類確認用画面２１が表示されるとともに、その下にこのグループの設定項目の設定画面２５が並べて表示される。
【００１０】
前記設定画面２５は、用紙のサイズ、用紙カセット、用紙の種類、印刷部数、用紙の向きの各項目を設定するための画面であり、この設定画面２５で設定された内容が前記分類確認用画面２１にも表示されている。
【００１１】
用紙の設定ウインドウによる設定が終了し、次にレイアウトの設定ウインドウを開くと、図４に示すように、レイアウトの設定グループを示す分類確認用画面２２が表示され、他の分類確認用画面２１、２３、２４は読み取れるが消えた状態になっている。そして、前記分類確認用画面２２が表示されるとともに、その下にこのグループの設定項目の設定画面２６が並べて表示される。このとき、用紙の設定が予め設定されているデフォルトの状態から変更されていればその設定内容を示す設定画面２５がグレイアウトして表示される。前記設定画面２５は、用紙サイズ、給紙方法、要旨の種類、印刷部数、用紙の向きを設定するための画面である。
【００１２】
次に、レイアウトの設定をデフォルト状態のまま、ページに関する設定ウインドウを開くと、ページに関する設定グループを示す分類確認用画面２３が表示され、他の分類確認用画面２１、２２、２４は読み取れるが消えた状態になっている。そして、前記分類確認用画面２３が表示されるとともに、その下にこのグループの設定項目の設定画面２７が並べて表示される。このとき、前回のレイアウトの設定がデフォルトの状態のままで変更されていなければ設定画面２６は閉じた状態となって表示され無い。
【００１３】
前記設定画面２７は、両面印刷、ソートモード、奇数偶数印刷を設定するための画面であり、この設定画面２７で設定された内容が前記分類確認用画面２３にも表示されている。なお、ソートモードとは、複数部印刷するときなどに、部単位で印刷するのか頁単位で印刷するのか指定することであり、奇数偶数印刷とは、奇数頁のみ印刷するか偶数頁のみ印刷するか指定することである。
【００１４】
ページに関する設定ウインドウによる設定が終了し、次に製本に関する設定ウインドウを開くと、図５に示すように、製本に関する設定グループを示す分類確認用画面２４が表示され、他の分類確認用画面２１、２２、２３は読み取れるが消えた状態になっている。そして、前記分類確認用画面２４が表示されるとともに、その下にこのグループの設定項目の設定画面２８が並べて表示される。
【００１５】
このとき、ページに関する設定がデフォルトの状態から変更されていればその設定内容を示す設定画面２７がグレイアウトして表示される。なお、設定画面２５のグレイアウト表示は引き続き保持される。前記設定画面２８は、ステープル、ホールパンチ、マージン、ウォーターマーク、表紙を設定するための画面である。なお、ステープル、ホールパンチとは、印刷した用紙にステープルやホールパンチを行うことであり、マージンとは、製本するときなどに必要なマージンを指定することであり、ウォーターマークとは、印刷する際に丸秘マーク等の文字の透かしを追加することであり、表紙とは、印刷する際に表紙や裏表紙を追加することである。
【００１６】
前記ホストコンピュータ１１は、前記ディスプレイ１２に、分類確認用画面２１，２２，２３，２４とその設定画面２５，２６，２７，２８の何れかが表示されている状態、すなわち、何れかのグループが表示されている状態で設定のためのデータ入力が有ると図２に従って入力処理を行うようになっている。
【００１７】
すなわち、Ｓ１にて、入力データの読み込みを行い、Ｓ２にて、入力データにより対応する設定画面を更新し、Ｓ３にて、更新内容を表示画像メモリに格納し、Ｓ４にて、変更があった設定画面に対応する画像パーツに変更してから、Ｓ５にて、ディスプレイ１２に表示する。
【００１８】
続いて、Ｓ６にて、該当するグループの選択があるかをチェックし、選択があれば、Ｓ７にて、入力データの読み込みを行い、Ｓ８にて、入力データにより対応する分類確認用画面を更新し、Ｓ９にて、更新内容を表示画像メモリに格納し、Ｓ１０にて、変更があった分類確認用画面に対応する画像パーツに変更してから、Ｓ１１にて、ディスプレイ１２に表示して処理を終了する。また、Ｓ６にて、該当するグループの選択が行わなければ、Ｓ１２にて、Ｓ４で変更した画像パーツを元に戻し、Ｓ１３にて、ディスプレイ１２に表示して処理を終了する。
【００１９】
例えば、分類確認用画面２１が表示され、その下にこのグループの設定項目の設定画面２５が並べて表示されている状態で、用紙サイズ、用紙の種類、印刷部数等を変更するためにデータを入力すると、設定画面２５におけるデータの入力部が更新される。このとき、同時に分類確認用画面２１も更新される。そして、この更新内容が表示画像メモリに格納され、それにより画像パーツが変更されディスプレイ１２の変更が確定する。
【００２０】
このような構成においては、プリンタドライバ１８を開いて印刷や製本に関するものなどの各種機能を設定する場合、先ず、用紙の設定グループを示す分類確認用画面２１とその設定画面２５が並べて表示される。ユーザは、設定画面２５を見て、用紙のサイズ、用紙カセット、用紙の種類、印刷部数、用紙の向きの各項目を設定することになる。
【００２１】
そして、設定を終了し、次にレイアウトの設定グループを示す分類確認用画面２２、すなわち、分類確認用画面２２のテキストのタグ部をクリックすると、その分類確認用画面２２及び設定画面２６が並べて表示される。用紙の設定がデフォルト状態から変更されていれば、分類確認用画面２１とその設定画面２５はグレイアウト表示される。従って、表示としては消えている状態になっているが設定内容は確認することができる。ユーザは、設定画面２６を見て、拡大縮小、Ｎｉｎ　１の各項目を設定することになる。
【００２２】
そして、設定を終了し、次にページに関する設定グループを示す分類確認用画面２３、すなわち、分類確認用画面２３のテキストのタグ部をクリックすると、その分類確認用画面２３及び設定画面２７が並べて表示される。レイアウトの設定がデフォルト状態から変更されていれば、分類確認用画面２１，２２とその設定画面２５，２６はグレイアウト表示される。従って、表示としては消えている状態になっているが設定内容は確認することができる。ユーザは、設定画面２７を見て、両面印刷、ソートモード、奇数偶数印刷の各項目を設定することになる。
【００２３】
なお、レイアウトの設定がデフォルト状態から変更されていない場合は、例えば、図５の分類確認用画面２２のように設定画面は表示されない。また、分類確認用画面２２もグレイアウト表示状態になっている。
【００２４】
そして、設定を終了し、次に製本に関する設定グループを示す分類確認用画面２４、すなわち、分類確認用画面２４のテキストのタグ部をクリックすると、その分類確認用画面２４及び設定画面２８が並べて表示される。ページに関する設定がデフォルト状態から変更されていれば、分類確認用画面２１，２２，２３とその設定画面２５，２６，２７はグレイアウト表示される。すなわち、ディスプレイ１２には、図６に示す表示が行われることになる。
【００２５】
従って、表示としては消えている状態になっているが設定内容は確認することができる。ユーザは、設定画面２８を見て、ステープル、ホールパンチ、マージン、ウォーターマーク、表紙の各項目を設定することになる。
【００２６】
このように、ユーザは、プリンタドライバ１８の各種機能の設定画面において、用紙の設定、レイアウトの設定、ページに関する設定、製本に関する設定を順次設定することができ、しかも、この順序はユーザの思考に合った流れとなっている。
【００２７】
そして、設定する項目内容が予め設定されているデフォルト状態から変更されていれば、先に設定した項目内容を示す設定画面がグレイアウト表示されているので、ユーザは先に設定した項目内容を容易に確認することができ、設定内容を確認しながら次の設定作業が容易に行える。
【００２８】
【発明の効果】
以上、本発明によれば、各機能の設定項目の設定確認が容易にできて設定作業が容易に行える。
【図面の簡単な説明】
【図１】本発明の実施の形態を示すブロック図。
【図２】同実施の形態においてプリンタドライバに印刷情報を設定する場合のディスプレイの表示変更処理を示す流れ図。
【図３】同実施の形態においてプリンタドライバに用紙設定グループの各項目を設定するときの表示画面例を示す図。
【図４】同実施の形態においてプリンタドライバにレイアウト設定グループの各項目を設定するときの表示画面例を示す図。
【図５】同実施の形態においてプリンタドライバに製本に関する設定グループの各項目を設定するときの表示画面例を示す図。
【図６】同実施の形態においてプリンタドライバに製本に関する設定グループの各項目を設定するときの表示画面例を示す図。
【符号の説明】
１１…ホストコンピュータ
１２…ディスプレイ
１８…プリンタドライバ
【図１】
2004062807.tif 000003
【図２】
2004062807.tif 000004
【図３】
2004062807.tif 000005
【図４】
2004062807.tif 000006
【図５】
2004062807.tif 000007
【図６】
2004062807.tif 000008